(57)【要約】利用者の操作を介して第１の地点取得状態に設定されている場合、ナビゲーション装置は、現在地情報取得手段が取得した地点に対応する放送情報を検索し、検索した放送情報を表示する。そして、利用者の操作を介して第２の地点取得状態に設定されている場合、利用者の操作により指定された地点に対応する放送情報を検索し、検索した放送情報を表示する。すなわち、ナビゲーション装置は、表示対象の放送情報を検索するために必要となる地点の決定方法を複数提供することができる。
2008126167.tif 000002
【特許請求の範囲】
【請求項１】
放送情報を受信する放送情報受信手段と、
地点識別子及びエリア識別子の対応関係を定義した地点対応情報を保持する地点対応情報保持手段と、
現在地に関する地点識別子を含む地点情報を取得する現在地情報取得手段と、
表示対象の前記放送情報に対応する地点識別子を決定する地点識別子決定手段と、
前記地点識別子決定手段が決定した前記地点識別子に対応する前記エリア識別子を前記地点対応情報から取得し、前記エリア識別子に関する前記放送情報を検索する放送情報検索手段と、
前記放送情報検索手段が検索した前記放送情報を放送情報表示用画面へ表示する放送情報表示制御手段と、を備え、
前記地点識別子決定手段は、第１の地点取得状態においては、前記現在地情報取得手段が取得した現在地に関する地点識別子を決定し、第２の地点取得状態においては、利用者が選択した地点に対応する地点識別子を決定することを特徴とするナビゲーション装置。
【請求項２】
指定された地点に関する前記地点識別子を含む地点情報を登録する地点情報登録手段をさらに備え、前記地点識別子決定手段は、前記第２の地点取得状態においては、前記地点登録手段が登録した地点情報の地点識別子を決定することを特徴とする請求項１に記載のナビゲーション装置。
【請求項３】
前記第２の地点取得状態において、前記地点を指定可能なメニュー画面を表示するメニュー画面表示制御手段をさらに備え、
前記地点識別子決定手段は、前記メニュー画面を介して利用者が指定した地点識別子を決定することを特徴とする請求項１又は２に記載のナビゲーション装置。
【請求項４】
ナビゲーション装置において実行される放送情報表示方法であって、
放送情報を受信する放送情報受信工程と、
地点識別子及びエリア識別子の対応関係を定義した地点対応情報を保持する地点対応情報保持工程と、
現在地に関する地点識別子を含む地点情報を取得する現在地情報取得工程と、
表示対象の前記放送情報に対応する地点識別子を決定する地点識別子決定工程と、
前記地点子決定手段が決定した前記地点識別子に対応する前記エリア識別子を前記地点対応情報から取得し、前記エリア識別子に関する前記放送情報を検索する放送情報検索工程と、
前記放送情報検索手段が検索した前記放送情報を放送情報表示用画面へ表示する表示制御工程と、を備え、
前記地点識別子決定工程は、第１の地点取得状態においては、前記現在地情報取得工程が取得した現在地に関する地点識別子を決定し、第２の地点取得状態においては、利用者が選択した地点に対応する地点識別子を決定することを特徴とする放送情報表示方法。
【請求項５】
コンピュータを備えるナビゲーション装置において実行される放送情報表示プログラムであって、
放送情報を受信する放送情報受信手段と、
地点識別子及びエリア識別子の対応関係を定義した地点対応情報を保持する地点対応情報保持手段と、
現在地に関する地点識別子を含む地点情報を取得する現在地情報取得手段と、
表示対象の前記放送情報に対応する地点識別子を決定する地点識別子決定手段と、
前記地点識別子決定手段が決定した前記地点識別子に対応する前記エリア識別子を前記地点対応情報から取得し、前記エリア識別子に関する前記放送情報を検索する放送情報検索手段と、
前記放送情報検索手段が検索した前記放送情報を放送情報表示用画面へ表示する放送情報表示制御手段、として前記コンピュータを機能させ、
前記地点識別子決定手段は、第１の地点取得状態においては、前記現在地情報取得手段が取得した現在地に関する地点識別子を決定し、第２の地点取得状態においては、利用者が選択した地点に対応する地点識別子を決定することを特徴とする放送情報表示プログラム。
【発明の詳細な説明】
【技術分野】
【０００１】
本発明は、地域に対応した放送情報を表示する技術に関する。
【背景技術】
【０００２】
従来から、デジタル放送受信機を介してデジタル放送を利用する場合に、利用者はどのエリアのデジタル放送の情報を利用するかを決めるために、予め郵便番号等を設定する（例えば、特許文献１参照）。【０００３】
【特許文献１】特開２００１−１７７８１７号公報
【発明の開示】
【発明が解決しようとする課題】
【０００４】
例えばデジタル放送受信可能なナビゲーション装置に、特許文献１のようなデジタル放送受信機を適用した場合、現在地や目的地等、複数エリアのデジタル放送の情報を取得することができるようになる。しかし、この場合、利用者は、所望のエリアの情報を取得する際には、そのたびに対応する郵便番号を入力する必要があり、利用者にとって操作が煩雑となる。また、車両が走行している場所のデジタル放送の情報を利用する場合等、利用者が郵便番号を知らない状況では、デジタル放送の情報を利用できないという問題点があった。【０００５】
本発明が解決しようとする課題としては、上記のものが例として挙げられる。本発明の目的は、任意の地点に対応した放送情報を簡易に取得できるナビゲーション装置を提供することにある。
【課題を解決するための手段】
【０００６】
請求項１に記載の発明は、放送情報を受信する放送情報受信手段と、地点識別子及びエリア識別子の対応関係を定義した地点対応情報を保持する地点対応情報保持手段と、現在地に関する地点識別子を含む地点情報を取得する現在地情報取得手段と、表示対象の前記放送情報に対応する地点識別子を決定する地点識別子決定手段と、前記地点識別子決定手段が決定した前記地点識別子に対応する前記エリア識別子を前記地点対応情報から取得し、前記エリア識別子に関する前記放送情報を検索する放送情報検索手段と、前記放送情報検索手段が検索した前記放送情報を放送情報表示用画面へ表示する放送情報表示制御手段と、を備え、前記地点識別子決定手段は、前記第１の地点取得状態においては、前記現在地情報取得手段が取得した現在地に関する地点識別子を決定し、前記第２の地点取得状態においては、利用者が選択した地点に対応する地点識別子を決定することを特徴とする。【０００７】
請求項４に記載の発明は、ナビゲーション装置において実行される放送情報表示方法であって、放送情報を受信する放送情報受信工程と、地点識別子及びエリア識別子の対応関係を定義した地点対応情報を保持する地点対応情報保持工程と、現在地に関する地点識別子を含む地点情報を取得する現在地情報取得工程と、表示対象の前記放送情報に対応する地点識別子を決定する地点識別子決定工程と、前記地点子決定手段が決定した前記地点識別子に対応する前記エリア識別子を前記地点対応情報から取得し、前記エリア識別子に関する前記放送情報を検索する放送情報検索工程と、前記放送情報検索手段が検索した前記放送情報を放送情報表示用画面へ表示する表示制御工程と、を備え、前記地点識別子決定工程は、前記第１の地点取得状態においては、前記現在地情報取得工程が取得した現在地に関する地点識別子を決定し、前記第２の地点取得状態においては、利用者が選択した地点に対応する地点識別子を決定することを特徴とする。【０００８】
請求項５に記載の発明は、コンピュータを備えるナビゲーション装置において実行される放送情報表示プログラムであって、放送情報を受信する放送情報受信手段と、地点識別子及びエリア識別子の対応関係を定義した地点対応情報を保持する地点対応情報保持手段と、現在地に関する地点識別子を含む地点情報を取得する現在地情報取得手段と、表示対象の前記放送情報に対応する地点識別子を決定する地点識別子決定手段と、前記地点識別子決定手段が決定した前記地点識別子に対応する前記エリア識別子を前記地点対応情報から取得し、前記エリア識別子に関する前記放送情報を検索する放送情報検索手段と、前記放送情報検索手段が検索した前記放送情報を放送情報表示用画面へ表示する放送情報表示制御手段、として前記コンピュータを機能させ、前記地点識別子決定手段は、前記第１の地点取得状態においては、前記現在地情報取得手段が取得した現在地に関する地点識別子を決定し、前記第２の地点取得状態においては、利用者が選択した地点に対応する地点識別子を決定することを特徴とすることを特徴とする。
【図面の簡単な説明】
【０００９】
【図１】ナビゲーション装置の概念図である。
【図２】放送情報表示ユニットの概略構成を示すブロック図である。
【図３】地点関連情報テーブルの例である。
【図４】従来の設定画面の例である。
【図５】従来のテレビ画面の例である。
【図６】従来の放送情報表示画面の例である。
【図７】マニュアル設定時における放送情報表示処理のフローチャートである。
【図８】実施例におけるテレビ画面の例である。
【図９】オート設定時における放送情報表示処理のフローチャートである。
【図１０】実施例における設定画面の例である。
【図１１】他の実施例における放送情報表示画面の例である。
【図１２】他の実施例における設定画面である。
【符号の説明】
【００１０】
１０  自立測位装置
３６  データ記憶ユニット
４０  表示ユニット
６０  入力装置
２００  ナビゲーション装置
３００  放送情報表示ユニット
３３０  制御部
【発明を実施するための最良の形態】
【００１１】
本発明の好適な実施形態では、ナビゲーション装置は、放送情報を受信する放送情報受信手段と、地点識別子及びエリア識別子の対応関係を定義した地点対応情報を保持する地点対応情報保持手段と、現在地に関する地点識別子を含む地点情報を取得する現在地情報取得手段と、表示対象の前記放送情報に対応する地点識別子を決定する地点識別子決定手段と、前記地点識別子決定手段が決定した前記地点識別子に対応する前記エリア識別子を前記地点対応情報から取得し、前記エリア識別子に関する前記放送情報を検索する放送情報検索手段と、前記放送情報検索手段が検索した前記放送情報を放送情報表示用画面へ表示する放送情報表示制御手段と、を備え、前記地点識別子決定手段は、前記第１の地点取得状態においては、前記現在地情報取得手段が取得した現在地に関する地点識別子を決定し、前記第２の地点取得状態においては、利用者が選択した地点に対応する地点識別子を決定する。【００１２】
上記のナビゲーション装置は、利用者操作により指定された地点に関する地点識別子（例えば、緯度経度等）に対応するエリア識別子（例えば、郵便番号等）を、地点対応情報から取得する。そして、受信した放送情報の中から当該エリア識別子に対応する放送情報を検索し、検索した放送情報を表示する。【００１３】
つまり、ナビゲーション装置は、利用者の所定の操作によって指定された地点に対応するエリア識別子を、予め保持している地点対応情報を検索することにより取得し、そのエリア識別子を用いて表示対象の放送情報を検索している。【００１４】
これにより、ナビゲーション装置は、所定の方法により放送情報に対応する地点の地点識別子を取得できれば、利用者に対してエリア識別子の指定を要求することなく、利用者の所望の放送情報を表示することができる。よって、ナビゲーション装置は、任意の個所の放送情報を簡易に取得することができる。また、利用者は、所望の放送情報に対応する地点を所定の方法で指定すれば、所望の放送情報を利用することができ、さらに、所望の放送情報に対応するエリア識別子を予め知らなくても、当該放送情報を取得することができる。【００１５】
さらに、ナビゲーション装置は、利用者の操作を介して第１の地点取得状態（例えば、地点の自動取得を意味する「オート」）に設定されている場合、ナビゲーション装置は、現在地情報取得手段が取得した地点に対応する放送情報を検索し、検索した放送情報を表示する。そして、利用者の操作を介して第２の地点取得状態（例えば、利用者に地点指定を促すことを意味する「マニュアル」）に設定されている場合、利用者の操作により指定された地点に対応する放送情報を検索し、検索した放送情報を表示する。【００１６】
よって、ナビゲーション装置は、地点取得状態に応じて、利用者の操作を介することなく取得した地点に基づいて表示対象の放送情報を検索したり、利用者の操作を介して指定された地点に基づいて表示対象の放送情報を検索したりする。すなわち、ナビゲーション装置は、表示対象の放送情報を検索するために必要となる地点の決定方法を複数提供することができる。【００１７】
従って、利用者は、所望の放送情報を利用するために地点を指定する際、利用者にとって最適な方法を選択して地点を指定することができ、簡易に複数の地点に関する放送情報を利用することができる。【００１８】
上記のナビゲーション装置の一態様では、指定された地点に関する前記地点識別子を含む地点情報を登録する地点情報登録手段をさらに備え、前記地点識別子決定手段は、前記第２の地点取得状態においては、前記地点登録手段が登録した地点情報の地点識別子を決定する。この場合、ナビゲーション装置は、利用者に対して同一の地点について複数回入力を促すことなく、登録済みの地点に対応する放送情報を表示することができる。【００１９】
上記のナビゲーション装置の一態様では、前記第２の地点取得状態において、前記地点を指定可能なメニュー画面を表示するメニュー画面表示制御手段をさらに備え、前記地点識別子決定手段は、前記メニュー画面を介して利用者が指定した地点識別子を決定する。これによれば、ナビゲーション装置は、所定のタイミング（例えば、放送情報表示要求を検知した場合等）でメニュー画面を表示することにより、簡易に表示対象の放送情報の地点を設定又は変更を利用者に対して促すことができる。【００２０】
本発明の他の観点では、ナビゲーション装置において実行される放送情報表示方法であって、放送情報を受信する放送情報受信工程と、地点識別子及びエリア識別子の対応関係を定義した地点対応情報を保持する地点対応情報保持工程と、現在地に関する地点識別子を含む地点情報を取得する現在地情報取得工程と、表示対象の前記放送情報に対応する地点識別子を決定する地点識別子決定工程と、前記地点子決定手段が決定した前記地点識別子に対応する前記エリア識別子を前記地点対応情報から取得し、前記エリア識別子に関する前記放送情報を検索する放送情報検索工程と、前記放送情報検索手段が検索した前記放送情報を放送情報表示用画面へ表示する表示制御工程と、を備え、前記地点識別子決定工程は、前記第１の地点取得状態においては、前記現在地情報取得工程が取得した現在地に関する地点識別子を決定し、前記第２の地点取得状態においては、利用者が選択した地点に対応する地点識別子を決定する。【００２１】
この放送情報表示方法によれば、上記のナビゲーション装置と同様に、地点取得状態に応じて、利用者の操作を介することなく取得した地点に基づいて表示対象の放送情報を検索したり、利用者の操作を介して指定された地点に基づいて表示対象の放送情報を検索したりする。すなわち、利用者に対して、表示対象の放送情報を検索するために必要となる地点の決定方法を複数提供することができる。【００２２】
本発明の他の観点では、コンピュータを備えるナビゲーション装置において実行される放送情報表示プログラムであって、放送情報を受信する放送情報受信手段と、地点識別子及びエリア識別子の対応関係を定義した地点対応情報を保持する地点対応情報保持手段と、現在地に関する地点識別子を含む地点情報を取得する現在地情報取得手段と、表示対象の前記放送情報に対応する地点識別子を決定する地点識別子決定手段と、前記地点識別子決定手段が決定した前記地点識別子に対応する前記エリア識別子を前記地点対応情報から取得し、前記エリア識別子に関する前記放送情報を検索する放送情報検索手段と、前記放送情報検索手段が検索した前記放送情報を放送情報表示用画面へ表示する放送情報表示制御手段、として前記コンピュータを機能させ、前記地点識別子決定手段は、前記第１の地点取得状態においては、前記現在地情報取得手段が取得した現在地に関する地点識別子を決定し、前記第２の地点取得状態においては、利用者が選択した地点に対応する地点識別子を決定する。このプログラムを、コンピュータ上で実行することにより、上記のナビゲーション装置を実現することができる。
【実施例】
【００２３】
以下、図面を参照して本発明の好適な実施例について説明する。【００２４】
［ナビゲーション装置］
図１に、本発明の実施例に係るナビゲーション装置２００の構成を示す。図１に示すように、ナビゲーション装置２００は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０、入力装置６０及びデジタル放送受信装置７０を備える。【００２５】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。【００２６】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。【００２７】
システムコントローラ２０は、インタフェース２１、ＣＰＵ２２、ＲＯＭ２３及びＲＡＭ２４を含んでおり、ナビゲーション装置２００全体の制御を行う。【００２８】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。【００２９】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０、入力装置６０及びデジタル放送受信装置７０は、バスライン３０を介して相互に接続されている。【００３０】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。【００３１】
データ記憶ユニット３６は、例えば、ＨＤＤなどにより構成され、地図データや施設データなどのナビゲーション処理に用いられる各種データを記憶する。【００３２】
通信装置３８は、例えば、ＦＭチューナやビーコンレシーバ、携帯電話や専用の通信カードなどにより構成され、通信用インタフェース３７を介して、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ）センタから配信される渋滞や交通情報などの道路交通情報、その他の情報を受信する。【００３３】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データを、ディスプレイなどの表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、例えば対角５〜１０インチ程度の液晶表示装置等からなり、車内のフロントパネル付近に装着される。【００３４】
音声出力ユニット５０は、システムコントローラ２０の制御の下、ディスクドライブ３１又はＲＡＭ２４等からバスライン３０を介して送られる音声デジタルデータのＤ／Ａ変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。【００３５】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。【００３６】
デジタル放送受信装置７０は、アンテナ（図示しない）を介してデジタル放送を受信する。デジタル放送受信装置７０により受信されるデジタル放送には、放送情報（例えば、天気や祭事等の情報）が含まれる。このようなデジタル放送としては、地上波デジタル放送、ＢＳ（Ｂｒｏａｄｃａｓｔｉｎｇ  Ｓａｔｅｌｌｉｔｅ）デジタル放送及びＣＳ（Ｃｏｍｍｕｎｉｃａｔｉｏｎ  Ｓａｔｅｌｌｉｔｅ）デジタル放送などがある。【００３７】
［放送情報表示］
次に、本実施例による放送情報の表示について説明する。ここで放送情報表示とは、受信している放送情報の中から所定のエリアに対応する放送情報を表示することをいう。ここでエリアとは関東地方等、所定の地域を示す。【００３８】
（放送情報表示ユニットの構成）
図２に、所定のエリアに該当する放送情報を表示する放送情報表示ユニット３００の機能構成を示す。放送情報表示ユニット３００は、実体的には、ナビゲーション装置２００の構成要素により構成される。放送情報表示ユニット３００は、図示のように、地図データベース（以下、地図ＤＢとも呼ぶ）２５０と、地点情報登録部３０３と、地点識別子決定部３０４と、放送情報検索部３０５と、現在地取得部３０６と、地点関連情報データベース（以下、地点関連情報ＤＢとも呼ぶ）３１０と、制御部３３０とを備える。【００３９】
地図ＤＢ２５０は、地図データを管理するデータベースであり、典型的には、図１のデータ記憶ユニット３６内に設けられる。地点情報登録部３０３は、利用者による、入力装置６０を介した操作（以下、入力操作とも呼ぶ）によって指定された自宅、出発地、到着地等に関する緯度経度を地図ＤＢ２５０から取得し、当該緯度経度を含む地点情報をデータ記憶ユニット３６へ登録する。これにより、これらの地点情報を登録した後、当該地点情報を繰り返し利用することができる。ここで地点情報とは、緯度経度等の地点識別子を含む情報を示す。また、地点識別子とは、所定の座標値（例えば、緯度経度）等、各地点を一意に識別できる情報のことをいう。【００４０】
地点識別子決定部３０４は、表示対象の放送情報を検索するために必要となるエリアに対応する地点識別子を決定する。例えば、地点取得状態が「オート」である場合、地点識別子決定部３０４は、現在地取得部３０６（後述する）が取得した地点識別子に決定し、地点取得状態が「マニュアル」である場合、利用者が指定した地点の地点識別子に決定する。【００４１】
放送情報検索部３０５は、地点識別子決定部３０４が決定した地点識別子に対応する放送情報を検索する。具体的には、地点関連情報ＤＢ３１０に定義されている、図３に示す地点関連情報テーブル１５０内の地点関連情報レコード８０を参照し、地点識別子決定部３０４が決定した地点識別子（座標値）に合致する地点関連情報レコード８０の郵便番号を取得する。そして、放送情報検索部３０５は、当該郵便番号に対応するエリアの放送情報を検索する。これにより、放送情報検索部３０５は、地点識別子決定部３０４が決定した座標値に対応する放送情報を取得することができる。なお、本実施例では、上記地点関連情報テーブル１５０内の郵便番号には、放送情報を取得するために必要となる、通常の郵便番号の上５桁のみが格納される。これは、放送情報を取得するために必要な最小限の桁数であるからである。このように、通常の郵便番号より少ない桁数を格納していることにより、通常の郵便番号を格納する場合に比して地点関連情報ＤＢ３１０の使用容量を少なくなるように考慮されている。なお、地点関連情報ＤＢ３１０は、典型的には、図１のデータ記憶ユニット３６内に設けられる。【００４２】
現在地取得部３０６は、図１におけるＧＰＳ受信機１８から車両の現在位置の緯度経度等を取得し、当該現在位置に対応する地名情報等をデータ記憶ユニット３６から取得する。これにより、車両の現在位置に関する緯度経度を含む地点情報を取得することができる。【００４３】
また、表示ユニット４０内の表示制御部４３は、放送情報検索部３０５が検索した放送情報を表示したり、所定の操作に応じて種々のメニュー画面（例えば、図８に示す地点選択メニュー画面１００等）を表示したりする。制御部３３０は、放送情報表示ユニット３００の各構成要素を制御し、図１に示すシステムコントローラ２０により構成される。【００４４】
以上の構成を有する本実施例においては、地点情報登録部３０３が地点情報登録手段として機能し、地点識別子決定部３０４が地点決定手段として機能し、放送情報検索部３０５が放送情報検索手段として機能する。現在地取得部３０６が現在地情報取得手段として機能する。地点関連情報ＤＢ３１０が地点対応情報保持手段として機能し、表示制御部４３が放送情報表示制御手段及びメニュー画面表示制御手段として機能し、デジタル放送受信装置７０が放送情報受信手段として機能する。また、メニュー画面は、地点選択メニュー画面（後述する）に対応する。【００４５】
（従来の放送情報表示例）
従来の放送情報表示例について、図４〜図６を用いて説明する。図４に郵便番号の設定等、種々の設定を行う設定画面１２０ａを示し、図５にテレビ映像を表示するテレビ画面１３０ａを示し、図６に放送情報を表示する放送情報表示画面１４０ａを示す。【００４６】
従来の放送情報表示装置は、利用者の入力操作により設定画面１２０ａの郵便番号設定領域９０へ郵便番号が設定されると、放送情報を表示する際、当該郵便番号に基づいて表示対象となる放送情報を検索し、当該放送情報を表示する。【００４７】
また、従来の放送情報表示装置は、テレビ画面１３０ａを表示している際に、利用者の所定の操作がなされると、当該テレビ画面１３０ａ上にテレビ操作メニュー画面９１を表示する。そして、従来の放送情報表示装置は、上記テレビ操作メニュー画面９１内の放送情報表示メニュー９２が選択されたことを検知すると、設定済の郵便番号に基づいて表示対象の放送情報を検索し、検索した放送情報を放送情報表示画面１４０ａ内の放送情報表示領域１１０に表示する。【００４８】
（放送情報表示処理）
次に、本実施例における、放送情報表示処理について説明する。本実施例における放送情報表示処理には、「マニュアル設定時における放送情報表示処理」と「オート設定時における放送情報表示処理」とがある。「マニュアル設定時における放送情報表示処理」とは、地点取得状態が「マニュアル」に設定されている場合に、利用者の操作により指定された地点に関する放送情報を検索し、当該放送情報を表示する処理である。「オート設定時における放送情報表示処理」とは、地点取得状態が「オート」に設定されている場合に、放送情報取得要求時の地点を放送情報ユニット３００の現在地取得部３０６が取得し、当該地点に関する放送情報を検索し、当該放送情報を表示する処理である。なお、地点取得状態は、利用者の入力操作により設定される（例えば、リモコンのボタン操作により設定等）。以下に「マニュアル設定時における放送情報表示処理」と「オート設定時における放送情報表示処理」とについて説明する。【００４９】
（マニュアル設定時における放送情報表示処理）
本実施例における、「マニュアル設定時における放送情報表示処理」について、図７を参照して説明する。図７は、「マニュアル設定時における放送情報表示処理」を含むフローチャートである。「マニュアル設定時における放送情報表示処理」は、図７のフローチャートにおけるステップＳ３〜ステップＳ７の処理である。なお、利用者の入力操作により、地点取得状態が「マニュアル」に設定されているものとする。【００５０】
地点情報登録部３０３は、表示制御部４３が所定の地図画面を表示している際、利用者の入力操作によって、所定の地点（例えば、自宅や目的地の地点）が指定されると、当該指定された地点の座標値を含む地点情報を登録する（ステップＳ１）。【００５１】
表示制御部４３は、利用者の入力操作に応じて、テレビ画面１３０（例えば、図８（ａ）に示すテレビ画面１３０ｂ）を表示する（ステップＳ２）。次に、制御部３３０は、放送情報の表示要求がなされたか否か判定する（ステップＳ３）。放送情報の表示要求がなされる具体例として、図８（ａ）に示すテレビ画面１３０ｂ上のテレビ操作メニュー画面９１内の放送情報表示（地域変更）メニュー９３が選択された場合等がある。【００５２】
テレビ画面１３０ｂ上の放送情報表示（地域変更）メニュー９３が選択されたことを制御部３３０が検知すると（ステップＳ３；Ｙｅｓ）、地点取得状態が「マニュアル」と設定されていることにより、利用者に地点指定を促すために、表示制御部４３は、図８（ｂ）に示すようなテレビ画面１３０ｃ上に地点選択メニュー画面１００を表示する（ステップＳ４）。【００５３】
地点選択メニュー画面１００は、「現在地」ボタン１０１、「目的地」ボタン１０２、「カーソル」ボタン１０３及び「自宅」ボタン１０４を有する。「目的地」ボタン１０２が押下されると、地点識別子決定部３０４は、既に登録済みの目的地に該当する地点の座標値を、表示対象の放送情報に該当するエリアの基準となる座標値とする。「自宅」ボタン１０４が押下されると、地点識別子決定部３０４は、既に登録済みの自宅に該当する地点の座標値を、表示対象の放送情報に該当するエリアの基準となる地点の座標値とする。なお、「現在地」ボタン１０１及び「カーソル」ボタン１０３が押下された場合の処理については、後述する。【００５４】
上記のように、「目的地」ボタン１０２又は「自宅」ボタン１０４が押下されると、地点識別子決定部３０４は、目的地又は自宅の地点の座標値を、表示対象の放送情報に対応するエリア内の地点に関する座標値に決定する（ステップＳ５）。【００５５】
地点識別子決定部３０４が、表示対象の放送情報に該当するエリアの基準となる地点の座標値を決定すると、放送情報検索部３０５は、地点関連情報テーブル１５０から当該座標値に対応する郵便番号を取得した後、デジタル放送受信装置７０が受信している放送情報から当該郵便番号のエリアに関する放送情報を検索する（ステップＳ６）。【００５６】
そして表示ユニット４０内の表示制御部４３は、放送情報検索部３０５が検索した放送情報を図６のように放送情報表示画面１４０ａに表示し（ステップＳ７）、制御部３３０は、マニュアル設定時における放送情報表示処理を終了する。【００５７】
このように、放送情報表示ユニット３００は、利用者の入力操作（放送情報表示（地域変更）メニュー９３の選択）によって放送情報の表示要求がなされると、地点選択メニュー画面１００を表示することにより、利用者が所望とする放送情報に該当する地点の選択を促す。そして、放送情報表示ユニット３００は、利用者によって地点が選択されると、当該地点の地点情報の座標値を検索キーとして、地点関連情報ＤＢ３１０に定義された地点関連情報テーブル１５０を検索し、当該地点情報の座標値に合致する地点関連情報レコード８０を取得し、当該地点関連情報レコード８０に含まれる郵便番号に対応する放送情報を検索し、当該放送情報を表示する。【００５８】
つまり、放送情報表示ユニット３００は、利用者の所定の操作によって指定された地点の座標値に対応する郵便番号を、予め保持している地点関連情報テーブル１５０を検索することにより取得し、その郵便番号を用いて表示対象の放送情報を検索している。【００５９】
これにより、放送情報表示ユニット３００は、利用者に対して郵便番号の指定を要求することなく、利用者の所望の放送情報を表示することができる。よって、利用者は、所望の放送情報に対応する郵便番号を予め知らなくても、当該放送情報を取得することができる。【００６０】
また、放送情報表示ユニット３００は、利用者の入力操作によって指定された地点に関する情報を登録している。【００６１】
これにより、放送情報表示ユニット３００は、利用者に対して同一の地点情報について複数回入力を促すことなく、登録済みの地点に対応する放送情報を表示することができる。【００６２】
（オート設定時における放送情報表示処理）
次に、本実施例における、「オート設定時における放送情報表示処理」について、図９を参照して説明する。図９は、「オート設定時における放送情報表示処理」を含むフローチャートである。「オート設定時における放送情報表示処理」は、図９のフローチャートにおけるステップＳ１３〜ステップＳ１６の処理である。【００６３】
所定の入力操作により地点取得状態が「オート」に指定されると、制御部３３０は、地点取得状態を「オート」に設定する（ステップＳ１１）。なお、制御部３３０は、地点取得状態を「オート」に設定すると、図１０に示す設定画面１２０ｂの地域設定領域９４に地点取得状態が「オート」である旨を表示する。これにより、放送情報表示ユニット３００は、放送情報を表示する際、放送情報の表示要求時の地点に基づいて放送情報を検索する。【００６４】
次に、表示制御部４３は、利用者の入力操作に応じて、テレビ画面１３０（例えば、図８（ａ）に示すテレビ画面１３０ｂ）を表示する（ステップＳ１２）。そして、放送情報表示ユニット３００は、放送情報の表示要求がなされたか否か判定する（ステップＳ１３）。放送情報の表示要求がなされる具体例として、テレビ操作メニュー画面９１内の放送情報表示（地域変更）メニュー９３が選択された場合等がある。【００６５】
表示制御部４３は、テレビ画面１３０ｂ上の放送情報表示（地域変更）メニュー９３が選択されたことを検知すると（ステップＳ１３；Ｙｅｓ）、地点取得状態が「オート」と設定されているため、現在地取得部３０６が現在地の地点情報（緯度経度等の座標値を含む）を取得し、地点識別子決定部３０４が、表示対象の放送情報に対応するエリア内の地点の座標値を、現在地の座標値とする（ステップＳ１４）。【００６６】
地点識別子決定部３０４が、表示する放送情報に該当するエリアの基準となる地点の座標値を決定すると、放送情報検索部３０５は、地点関連情報テーブル１５０から当該座標値に対応する郵便番号を取得し、デジタル放送受信装置７０が受信した放送情報から当該郵便番号を検索キーとして放送情報を検索する（ステップＳ１５）。【００６７】
表示制御部４３は、放送情報検索部３０５が検索した放送情報を放送情報表示画面１４０ａに表示し（ステップＳ１６）、制御部３３０は、オート設定時における放送情報表示処理を終了する。【００６８】
このように、放送情報表示ユニット３００は、利用者の入力操作（放送情報表示（地域変更）メニュー９３の選択）によって、放送情報の表示要求がなされると、現在地取得部３０６により現在地点の地点情報を取得し、当該地点の地点情報の座標値を検索キーとして、地点関連情報ＤＢ３１０に定義された地点関連情報テーブル１５０を検索し、当該地点情報の座標値に合致する地点関連情報レコード８０を取得し、当該地点関連情報レコード８０に含まれる郵便番号に対応する放送情報を検索し、当該放送情報を表示する。【００６９】
これにより、放送情報表示ユニット３００は、利用者に対して郵便番号及び地点の指定を要求することなく、現在地に対応する放送情報を表示することができる。よって、利用者は、現在地に関する情報（郵便番号や地点）を入力することなく現在地に対応する放送情報を利用することができる。【００７０】
また、「マニュアル設定時における放送情報表示処理」と「オート設定時における放送情報表示処理」によれば、利用者の操作を介して地点取得状態が「オート」に設定されている場合、放送情報表示ユニット３００は、現在地取得部３０６が取得した地点に対応する放送情報を検索し、検索した放送情報を表示する。そして、利用者の操作を介して地点取得状態が「マニュアル」に設定されている場合、放送情報表示ユニット３００は、地点を指定する地点選択メニュー画面１００を表示し、地点選択メニュー画面１００を介して利用者の操作により指定された地点に対応する放送情報を検索し、検索した放送情報を表示する。【００７１】
よって、放送情報表示ユニット３００は、地点取得状態に応じて、利用者の入力操作を介することなく取得した地点に基づいて表示対象の放送情報を検索したり、利用者の入力操作を介して指定された地点に基づいて表示対象の放送情報を検索したりする。すなわち、放送情報表示ユニット３００は、表示対象の放送情報を検索するために必要となる地点の決定方法を複数提供することができる。【００７２】
従って、利用者は、所望の放送情報を利用するために地点を指定する際、利用者にとって最適な方法を選択して地点を指定することができ、簡易に複数の地点に関する放送情報を利用することができる。【００７３】
［他の実施例］
上述の実施例では、放送情報表示ユニット３００がテレビ画面１３０を表示している際に、利用者による所定の入力操作に応じて、地点選択メニュー画面１００を表示する場合について述べたが、本発明はこれに限られず、放送情報表示ユニット３００が放送情報表示画面１４０を表示している際に、利用者による所定の操作に応じて地点選択メニュー画面１００を表示するようにしても良い。【００７４】
放送情報表示ユニット３００が放送情報表示画面１４０を表示している際に、利用者による所定の操作に応じて、地点選択メニュー画面１００を表示する場合について、図１１を用いて説明する。【００７５】
図１１（ａ）に示すように、表示制御部４３が放送情報表示画面１４０ｂを表示している際、利用者による入力操作がなされると、放送情報表示ユニット３００は、地域切換ボタン１０６を有する地域切換メニュー画面１０５を表示する。【００７６】
そして、利用者の入力操作により地域切換ボタン１０６が押下されると、図１１（ｂ）に示すように、放送情報表示ユニット３００は、放送情報表示画面１４０ｃ上に地点選択メニュー画面１００を表示する。【００７７】
利用者の入力操作により、上記地点選択メニュー画面１００の各ボタン（例えば、自宅ボタン１０４等）が押下されると、地点識別子決定部３０４は、押下されたボタンに応じた地点の座標値を、表示対象の放送情報に該当するエリアの基準となる地点の座標値とする。【００７８】
そして、放送情報検索部３０５は、当該座標値に関する郵便番号に対応する放送情報を検索し、表示制御部４３は、放送情報検索部３０５が検索した放送情報を放送情報表示画面１４０に表示する。【００７９】
よって、放送情報表示ユニット３００は、一度あるエリアに対応した放送情報を表示した状態で、地点選択メニュー画面１００の表示要求を受信した場合、当該地点選択メニュー画面１００からある地点が選択されれば、当該地点に対応した放送情報を含む放送情報表示画面１４０を表示することができる。【００８０】
つまり、利用者は、ある地点に対応する放送情報を利用した結果、所望の放送情報ではないと判断した場合に、地点選択メニュー画面１００から別の地点を指定し直すことにより、簡易に別の地点に対応する放送情報を利用することができる。【００８１】
また、上記地点選択メニュー画面１００は、「現在地」ボタン１０１及び「カーソル」ボタン１０３を有する。「現在地」ボタン１０１が押下されると、現在地取得部３０６が現在地の地点情報を取得し、地点識別子決定部３０４が当該地点情報の座標値を、表示対象の放送情報に該当するエリアの基準となる地点の座標値とする。「カーソル」ボタン１０３が押下されると、「カーソル」ボタン１０３が押下された後に、放送情報表示ユニット３００は、地図画面（図示しない）を表示し、地点識別子決定部３０４は、当該地図画面上におけるカーソル位置に対応する地点の座標値を表示対象の放送情報に該当するエリアの基準となる地点の座標値とする。【００８２】
このように登録済みの地点に関するボタンのみならず、現在地を取得するボタンや利用者に任意の地点へ指定を促すボタンも配置することにより、放送情報表示ユニット３００は、利用者にとって所望の地点を簡易に指定させることができる。【００８３】
上述の実施例では、放送表示ユニット３００は、地点選択メニュー画面１００に「自宅」ボタン１０４等を有し、当該「自宅」ボタン１０４等が選択されることにより、各種ボタンに対応した地点に関する放送情報を表示するようにした場合について述べたが、本発明は、これに限られず、図１２に示す設定画面１２０ｃのように、設定画面１２０自体に、「自宅」ボタン１０４等を設けても良い。【００８４】
上述の実施例では、地点関連情報レコード８０を「地点対応情報」として適用する場合について述べたが、本発明はこれに限られず、テキスト形式のリスト等、種々の形式の情報を「地点対応情報」として適用しても良い。【００８５】
上述の実施例では、地点識別子に座標値を適用する場合について述べたが、本発明は、これに限られず、各地点を一意に識別できる種々の情報を適用しても良い。【００８６】
上述の実施例では、エリア識別子に郵便番号を適用する場合について述べたが、本発明は、これに限られず、各エリアを一意に識別できる種々の情報（電話番号等）を適用しても良い。【００８７】
上述の実施例では、放送表示ユニット３００は、利用者の入力操作により指定された地図画面上の地点に関する放送情報を表示する場合について述べたが、本発明は、これに限られず、所定の地図検索の検索結果により取得した地点に関する放送情報を表示するようにしても良い。【００８８】
上述の実施例では、地点選択メニュー画面１００が「現在地」ボタン１０１、「目的地」ボタン１０２、「カーソル」ボタン１０３及び「自宅」ボタン１０４を有する場合について述べたが、本発明は、これに限られず、他の地点を指定できるボタンを設けるようにしても良い。【００８９】
上述の実施例では、地点取得状態が「マニュアル」に設定されている際、地点識別子決定部３０４は、地点選択メニュー画面１００を介した利用者の入力操作により指定された地点の座標値を表示対象の放送情報に該当するエリアの基準となる地点の座標値とする場合について述べたが、本発明は、これに限られず、地点選択メニュー画面１００を介さない所定の利用者の入力操作により指定された地点の座標値を表示対象の放送情報に該当するエリアの基準となる地点の座標値としても良い。
【産業上の利用可能性】
【００９０】
本発明は、地域に対応した放送情報を表示するナビゲーション装置に利用することができる。
【図１】
2008126167.tif 000003
【図２】
2008126167.tif 000004
【図３】
2008126167.tif 000005
【図４】
2008126167.tif 000006
【図５】
2008126167.tif 000007
【図６】
2008126167.tif 000008
【図７】
2008126167.tif 000009
【図８】
2008126167.tif 000010
【図９】
2008126167.tif 000011
【図１０】
2008126167.tif 000012
【図１１】
2008126167.tif 000013
【図１２】
2008126167.tif 000014
【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
放送情報を受信する放送情報受信手段と、
地点識別子及びエリア識別子の対応関係を定義した地点対応情報を保持する地点対応情報保持手段と、
利用者の入力操作によって所定の地点が指定された際に、当該所定の地点の地点識別子を含む地点情報を登録する地点情報登録手段と、
登録済みの地点情報の地点識別子のうち、利用者の入力操作によって選択された地点の地点識別子を、表示対象の前記放送情報に対応する地点識別子に決定する地点識別子決定手段と、
前記地点識別子決定手段が決定した前記地点識別子に対応する前記エリア識別子を前記地点対応情報から取得し、前記エリア識別子に関する前記放送情報を検索する放送情報検索手段と、
前記放送情報検索手段が検索した前記放送情報を放送情報表示用画面へ表示する放送情報表示制御手段と、を備えることを特徴とするナビゲーション装置。
【請求項２】
前記所定の地点は目的地又は自宅であることを特徴とする請求項１に記載のナビゲーション装置。
【請求項３】
現在地に関する地点識別子を含む地点情報を取得する現在地情報取得手段と、
地点取得状態をオート又はマニュアルに設定する設定手段と、をさらに備え、
前記地点識別子決定手段は、前記地点取得状態がオートに設定されている場合には前記現在地情報取得手段が取得した現在地の地点識別子を表示対象の前記放送情報に対応する地点識別子として決定し、前記地点取得状態がマニュアルに設定されている場合には前記選択された地点の地点識別子を表示対象の前記放送情報に対応する地点識別子として決定することを特徴とする請求項１又は２に記載のナビゲーション装置。
【請求項４】
放送情報を受信する放送情報受信手段と、
地点識別子及びエリア識別子の対応関係を定義した地点対応情報を保持する地点対応情報保持手段と、
地図画面上の所定の地点をカーソルで指定する地点指定手段と、
前記カーソルの位置に対応する地点の地点識別子を、表示対象の前記放送情報に対応する地点識別子として決定する地点識別子決定手段と、
前記地点識別子決定手段が決定した前記地点識別子に対応する前記エリア識別子を前記地点対応情報から取得し、前記エリア識別子に関する前記放送情報を検索する放送情報検索手段と、
前記放送情報検索手段が検索した前記放送情報を放送情報表示用画面へ表示する放送情報表示制御手段と、を備えることを特徴とするナビゲーション装置。
【請求項５】
地点識別子及びエリア識別子の対応関係を定義した地点対応情報を保持する装置で行う放送情報表示方法であって、
放送情報を受信する放送情報受信工程と、
利用者の入力操作によって所定の地点が指定された際に、当該所定の地点の地点識別子を含む地点情報を登録する地点情報登録工程と、
登録済みの地点情報の地点識別子のうち、利用者の入力操作によって選択された地点の地点識別子を、表示対象の前記放送情報に対応する地点識別子に決定する地点識別子決定工程と、
前記地点識別子決定工程で決定した前記地点識別子に対応する前記エリア識別子を前記地点対応情報から取得し、前記エリア識別子に関する前記放送情報を検索する放送情報検索工程と、
前記放送情報検索工程で検索した前記放送情報を放送情報表示用画面へ表示する放送情報表示制御工程と、を備えることを特徴とする放送情報表示方法。
【請求項６】
地点識別子及びエリア識別子の対応関係を定義した地点対応情報を保持する装置で実行される放送情報表示方法であって、
放送情報を受信する放送情報受信工程と、
地図画面上の所定の地点をカーソルで指定する地点指定工程と、
前記カーソルの位置に対応する地点の地点識別子を、表示対象の前記放送情報に対応する地点識別子として決定する地点識別子決定工程と、
前記地点識別子決定工程で決定した前記地点識別子に対応する前記エリア識別子を前記地点対応情報から取得し、前記エリア識別子に関する前記放送情報を検索する放送情報検索工程と、
前記放送情報検索工程で検索した前記放送情報を放送情報表示用画面へ表示する放送情報表示制御工程と、を備えることを特徴とする放送情報表示方法。
【請求項７】
地点識別子及びエリア識別子の対応関係を定義した地点対応情報を保持するコンピュータ装置で実行する放送情報表示プログラムであって、
放送情報を受信する放送情報受信手段、
利用者の入力操作によって所定の地点が指定された際に、当該所定の地点の地点識別子を含む地点情報を登録する地点情報登録手段、
登録済みの地点情報の地点識別子のうち、利用者の入力操作によって選択された地点の地点識別子を、表示対象の前記放送情報に対応する地点識別子に決定する地点識別子決定手段、
前記地点識別子決定手段が決定した前記地点識別子に対応する前記エリア識別子を前記地点対応情報から取得し、前記エリア識別子に関する前記放送情報を検索する放送情報検索手段、
前記放送情報検索手段が検索した前記放送情報を放送情報表示用画面へ表示する放送情報表示制御手段、として前記コンピュータを機能させることを特徴とする放送情報表示プログラム。
【請求項８】
地点識別子及びエリア識別子の対応関係を定義した地点対応情報を保持するコンピュータ装置で実行する放送情報表示プログラムであって、
放送情報を受信する放送情報受信手段、
地図画面上の所定の地点をカーソルで指定する地点指定手段、
前記カーソルの位置に対応する地点の地点識別子を、表示対象の前記放送情報に対応する地点識別子として決定する地点識別子決定手段、
前記地点識別子決定手段が決定した前記地点識別子に対応する前記エリア識別子を前記地点対応情報から取得し、前記エリア識別子に関する前記放送情報を検索する放送情報検索手段、
前記放送情報検索手段が検索した前記放送情報を放送情報表示用画面へ表示する放送情報表示制御手段、として前記コンピュータを機能させることを特徴とする放送情報表示プログラム。
【請求項９】
請求項７に記載の放送情報表示プログラムを記録したことを特徴とする記録媒体。
【請求項１０】
請求項８に記載の放送情報表示プログラムを記録したことを特徴とする記録媒体。
【手続補正２】
【補正対象書類名】明細書
【補正対象項目名】０００６
【補正方法】変更
【補正の内容】
【０００６】
請求項１に記載の発明は、放送情報を受信する放送情報受信手段と、地点識別子及びエリア識別子の対応関係を定義した地点対応情報を保持する地点対応情報保持手段と、利用者の入力操作によって所定の地点が指定された際に、当該所定の地点の地点識別子を含む地点情報を登録する地点情報登録手段と、登録済みの地点情報の地点識別子のうち、利用者の入力操作によって選択された地点の地点識別子を、表示対象の前記放送情報に対応する地点識別子に決定する地点識別子決定手段と、前記地点識別子決定手段が決定した前記地点識別子に対応する前記エリア識別子を前記地点対応情報から取得し、前記エリア識別子に関する前記放送情報を検索する放送情報検索手段と、前記放送情報検索手段が検索した前記放送情報を放送情報表示用画面へ表示する放送情報表示制御手段と、を備えることを特徴とする。
請求項４に記載の発明は、放送情報を受信する放送情報受信手段と、地点識別子及びエリア識別子の対応関係を定義した地点対応情報を保持する地点対応情報保持手段と、地図画面上の所定の地点をカーソルで指定する地点指定手段と、前記カーソルの位置に対応する地点の地点識別子を、表示対象の前記放送情報に対応する地点識別子として決定する地点識別子決定手段と、前記地点識別子決定手段が決定した前記地点識別子に対応する前記エリア識別子を前記地点対応情報から取得し、前記エリア識別子に関する前記放送情報を検索する放送情報検索手段と、前記放送情報検索手段が検索した前記放送情報を放送情報表示用画面へ表示する放送情報表示制御手段と、を備えることを特徴とする。
【手続補正３】
【補正対象書類名】明細書
【補正対象項目名】０００７
【補正方法】変更
【補正の内容】
【０００７】
請求項５に記載の発明は、地点識別子及びエリア識別子の対応関係を定義した地点対応情報を保持する装置で行う放送情報表示方法であって、放送情報を受信する放送情報受信工程と、利用者の入力操作によって所定の地点が指定された際に、当該所定の地点の地点識別子を含む地点情報を登録する地点情報登録工程と、登録済みの地点情報の地点識別子のうち、利用者の入力操作によって選択された地点の地点識別子を、表示対象の前記放送情報に対応する地点識別子に決定する地点識別子決定工程と、前記地点識別子決定工程で決定した前記地点識別子に対応する前記エリア識別子を前記地点対応情報から取得し、前記エリア識別子に関する前記放送情報を検索する放送情報検索工程と、前記放送情報検索工程で検索した前記放送情報を放送情報表示用画面へ表示する放送情報表示制御工程と、を備えることを特徴とする。
請求項６に記載の発明は、地点識別子及びエリア識別子の対応関係を定義した地点対応情報を保持する装置で実行される放送情報表示方法であって、放送情報を受信する放送情報受信工程と、地図画面上の所定の地点をカーソルで指定する地点指定工程と、前記カーソルの位置に対応する地点の地点識別子を、表示対象の前記放送情報に対応する地点識別子として決定する地点識別子決定工程と、前記地点識別子決定工程で決定した前記地点識別子に対応する前記エリア識別子を前記地点対応情報から取得し、前記エリア識別子に関する前記放送情報を検索する放送情報検索工程と、前記放送情報検索工程で検索した前記放送情報を放送情報表示用画面へ表示する放送情報表示制御工程と、を備えることを特徴とする。
【手続補正４】
【補正対象書類名】明細書
【補正対象項目名】０００８
【補正方法】変更
【補正の内容】
【０００８】
請求項７に記載の発明は、地点識別子及びエリア識別子の対応関係を定義した地点対応情報を保持するコンピュータ装置で実行する放送情報表示プログラムであって、放送情報を受信する放送情報受信手段、利用者の入力操作によって所定の地点が指定された際に、当該所定の地点の地点識別子を含む地点情報を登録する地点情報登録手段、登録済みの地点情報の地点識別子のうち、利用者の入力操作によって選択された地点の地点識別子を、表示対象の前記放送情報に対応する地点識別子に決定する地点識別子決定手段、前記地点識別子決定手段が決定した前記地点識別子に対応する前記エリア識別子を前記地点対応情報から取得し、前記エリア識別子に関する前記放送情報を検索する放送情報検索手段、前記放送情報検索手段が検索した前記放送情報を放送情報表示用画面へ表示する放送情報表示制御手段、として前記コンピュータを機能させることを特徴とする。
請求項８に記載の発明は、地点識別子及びエリア識別子の対応関係を定義した地点対応情報を保持するコンピュータ装置で実行する放送情報表示プログラムであって、放送情報を受信する放送情報受信手段、地図画面上の所定の地点をカーソルで指定する地点指定手段、前記カーソルの位置に対応する地点の地点識別子を、表示対象の前記放送情報に対応する地点識別子として決定する地点識別子決定手段、前記地点識別子決定手段が決定した前記地点識別子に対応する前記エリア識別子を前記地点対応情報から取得し、前記エリア識別子に関する前記放送情報を検索する放送情報検索手段、前記放送情報検索手段が検索した前記放送情報を放送情報表示用画面へ表示する放送情報表示制御手段、として前記コンピュータを機能させることを特徴とする。
【国際調査報告】
2008126167.tif 000015
2008126167.tif 000016